(57)【要約】【課題】装置に監視対象とする設備の信号を取り込みやすくするとともに、設備からの各種信号の入力を可能とし、警報監視システムを構築するための費用を安価にし、また、設備の代表的な警報状態である停電を通報することができるようにする警報通報装置及び警報通報システムを提供する。【解決手段】監視対象設備４、５の警報信号等の出力信号を送出するシーケンサ３との通信機能を制御するＣＰＵ部１１及び通信回線６と接続して通信データを送受信する通信部１４を内蔵する通信装置１と、通信装置１とシーケンサ３とを接続する通信ケーブル２とからなる警報通報装置であって、通信装置１は、シーケンサ３が送出する出力信号から故障信号を検出し、警報を通報する機能を有する。【選択図】図１
2009054185.tif 000002
【特許請求の範囲】
【請求項１】
監視対象設備の警報信号等の出力信号を送出するシーケンサとの通信機能を制御するＣＰＵ部及び通信回線と接続して通信データを送受信する通信部を内蔵する通信装置と、該通信装置とシーケンサとを接続する通信ケーブルとからなる警報通報装置であって、
前記通信装置は、シーケンサが送出する出力信号から警報信号を検出し、警報を通報する機能を有することを特徴とする警報通報装置。
【請求項２】
請求項１記載の警報通報装置において、
上記通信装置は、バッテリを内蔵するとともに、停電時に停電通報する機能を有することを特徴とする警報通報装置。
【請求項３】
ＣＰＵ部及び通信部をそれぞれ内蔵する複数台の通信装置と、該通信装置とシーケンサ又は通信装置同士を接続する通信ケーブルとからなる警報通報システムであって、
前記通信装置の少なくとも一つは、監視対象設備の警報信号等の出力信号を送出するシーケンサとの通信機能を制御するＣＰＵ部及び通信回線と接続して通信データを送受信する通信部を内蔵し、前記シーケンサが送出する出力信号から警報信号を検出し、警報を通報する機能を有することを特徴とする警報通報システム。
【請求項４】
請求項３記載の警報通報システムにおいて、
各々の通信装置は、各通信装置がロギングして作成する履歴データを記憶保存するエリアを分散して有することを特徴とする警報通報システム。
【請求項５】
請求項４記載の警報通報システムにおいて、
各通信装置は、それぞれ異なるプログラムを実行する機能を有することを特徴とする警報通報システム。
【請求項６】
請求項３記載の警報通報システムにおいて、
警報を通報する機能を有する通信装置は、バッテリを内蔵するとともに、停電時に停電通報する機能を有することを特徴とする警報通報システム。
【発明の詳細な説明】
【技術分野】
【０００１】
本発明は、警報通報装置及び警報通報システムであり、上下水道の給水、配水設備や、産業用の生産設備、販売データ収集設備等の運転状態を監視、記録し、設備の故障、異常状態を表示、記録するとともに、警報信号を検出して、監視室の外にいる設備の保守担当者等に警報を通報する通報装置に関する。
【背景技術】
【０００２】
設備の運転状態等を監視し通報する警報通報装置を設置することが行われており、従来、２種類のタイプがあった。１種類目の警報通報装置は、シーケンサと一体の形で構成されている。電源回路がシーケンサと共通になっており、シーケンサの電源をオンすると警報通報装置の電源もオンするタイプである。２種類目の警報通報装置は、シーケンサと接続せず、警報通報装置単品内の入出力回路を設けていた。
【０００３】
１種類目の警報通報装置の場合、警報通報装置のない既設の設備に警報通報装置を取付けて設備の監視をするには、あらたに警報通報装置を含んだシーケンサを設ける必要があった。このため、装置として高価なシーケンサを追加する必要があるとともに、シーケンサ取付けのための設置スペースと、配線工事が必要になり、警報通報装置の取付けコストが高かった。
【０００４】
また、２種類目の警報通報装置は、装置内に警報信号を取り込むためのＩ／Ｏ端子を持つため、警報信号の種類が多くなると、内蔵するＩ／Ｏ端子の数では全ての警報信号を入力することができないという問題点があった。
【発明の開示】
【発明が解決しようとする課題】
【０００５】
本発明は、従来技術の問題を解決するものであり、装置に監視対象とする設備の信号を取り込みやすくするとともに、設備からの各種信号の入力を可能とし、警報監視システムを構築するための費用を安価にし、また、設備の代表的な警報状態である停電を通報することができるようにする警報通報装置及び警報通報システムを提供するものである。
【課題を解決するための手段】
【０００６】
本発明は、監視対象設備の警報信号等の出力信号を送出するシーケンサとの通信機能を制御するＣＰＵ部及び通信回線と接続して通信データを送受信する通信部を内蔵する通信装置と、該通信装置とシーケンサとを接続する通信ケーブルとからなる警報通報装置であって、前記通信装置は、シーケンサが送出する出力信号から警報信号を検出し、警報を通報する機能を有する警報通報装置である。
【０００７】
また、本発明は、上記通信装置は、バッテリを内蔵するとともに、停電時に停電通報する機能を有する警報通報装置である。
【０００８】
そして、本発明は、ＣＰＵ部及び通信部をそれぞれ内蔵する複数台の通信装置と、該通信装置とシーケンサ又は通信装置同士を接続する通信ケーブルとからなる警報通報システムであって、前記通信装置の少なくとも一つは、監視対象設備の警報信号等の出力信号を送出するシーケンサとの通信機能を制御するＣＰＵ部及び通信回線と接続して通信データを送受信する通信部を内蔵し、前記シーケンサが送出する出力信号から警報信号を検出し、警報を通報する機能を有する警報通報システムである。
【０００９】
更に、本発明は、各々の通信装置は、各通信装置がロギングして作成する履歴データを記憶保存するエリアを分散して有する警報通報システムである。
【００１０】
また、本発明は、各通信装置は、それぞれ異なるプログラムを実行する機能を有する警報通報システムである。
【００１１】
そして、本発明は、警報を通報する機能を有する通信装置は、バッテリを内蔵するとともに、停電時に停電通報する機能を有する警報通報システムである。
【発明の効果】
【００１２】
本発明によれば、装置に監視対象とする設備の信号を取り込みやすくするとともに、設備からの各種信号の入力を可能とし、警報監視システムを構築するための費用を安価にし、また、設備の代表的な警報状態である停電を通報することができるようにする警報通報装置及び警報通報システムを得ることができる。
【発明を実施するための最良の形態】
【００１３】
発明の実施の形態を説明する。
本発明の警報通報装置及び警報通報システムの実施例について、図１〜図４を用いて説明する。図１は、実施例１の警報通報装置の説明図である。図２は、実施例１における通信装置が内蔵するバッテリの停電検出回路等の説明図である。図３は、実施例２の警報通報システムの説明図である。図４は、実施例３の警報通報システムの説明図である。
【００１４】
実施例１を説明する。本実施例の警報通報装置は、図１に示すように、通信装置１と通信ケーブル２とからなる。通信装置１は、ＣＰＵ部１１、通信部１２及びバッテリ１５を内蔵しており、シーケンサ３が取り込んだ監視対象設備、例えばポンプ４や電動機５からの運転信号や故障信号等の各種信号から故障信号を検出し、警報を通報する機能を有する。ＣＰＵ部１１は、ＩＣからなるＣＰＵ１２やメモリ１３を搭載したＣＰＵ基板であり、監視対象設備４、５からの運転信号や故障信号等の各種信号を取り込むシーケンサ３との通信機能を制御し、そして、通信部１４は、モデム基板であり、通信回線（電話回線）６と接続して通信データを送受信する。バッテリ１５については、後述する。通信ケーブル２は、通信装置１とシーケンサ３とを接続しており、ＲＳ２３２Ｃケーブル又はイーサネットケーブル等からなる。
【００１５】
実施例の警報通報装置と接続するシーケンサ３は、監視対象設備、例えばポンプ４や電動機５からの運転信号や故障信号等の接点信号、アナログ信号を取り込む。そして、監視対象設備４、５に対する制御信号やアナログ出力信号を出力する。シーケンサ３は、これらの信号を元に、監視対象設備４、５の自動運転を実行する頭脳部分に当たる。また、シーケンサ３は、監視対象設備４、５に故障等が生じると、故障信号を取り込み、そして、警報信号を生成する。シーケンサ３は、通信装置１からの問い合わせに応じて、シーケンサ３内部のデータを通信装置１へ送信する。シーケンサ３から通信装置１へ送られる信号の中に、その警報信号が入る。
【００１６】
実施例１の警報通報装置の警報通報動作について、説明する。通信装置１は、シーケンサ３の端子部３１と接続する通信ケーブル２経由で、時々、シーケンサ３にデータの問合せをする。そして、通信装置１は、故障が生じた監視対象設備４、５の故障信号を取り込んだシーケンサ３が送出した出力信号から警報信号を検出する。そして、通信回線６を経由して監視対象設備の外部にいる保守担当者等に警報を通報する。これにより、保守担当者は、監視対象設備に故障が生じたことを知ることができる。
【００１７】
実施例１における通信装置１の警報通報の機能には、下記のものがある。
（１）音声通報：通報先には電話を使用し、あらかじめ警報通報装置内に録音されていた音声を組み合わせて、どの設備で、どんな故障が発生したかを伝える。
（２）ポケベル通報：ポケベル（ページャ）会社のシステムを使用し、ＤＴＭＦ信号を送信することにより、どの設備で、どんな故障が発生したかを伝える。
（３）ＦＡＸ通報：通報先にはファクシミリを使用し、ＦＡＸの印字内容により、どの設備で、どんな故障が発生したかを伝える。
（４）データ通信：通報先にはパソコン等のコンピュータを使用してデータを送信することにより、どの設備で、どんな故障が発生したかを伝える。
（５）メール通報：通報先には、パソコンまたは携帯電話など電子メールを送信できる装置で、メールの内容により、どの設備で、どんな故障が発生したかを伝える。パソコンや携帯電話に電子メールを送信する場合には、一旦、メールサーバーに接続し、メールサーバーを介して電子メールを送信する。
【００１８】
実施例１における通信装置１の警報通報機能には、故障が発生した時に警報を通報するだけでなく、故障が復旧した時に通報する機能も含まれる。故障が発生した時と復旧した時の両方に通報するか、故障が発生した時だけに警報を通報するかは、警報通報装置の設定で選択できる。
【００１９】
実施例１におけるこれらの警報通報は、通信部のモデム基板１４を使用して、通信回線６経由で送信する場合の他に、通信装置１にあるイーサネット用の通信部を使用して通報することができる。
【００２０】
実施例１の警報通報装置においては、警報通報機能とともに、設備の運転状態の記録と、記録したデータを外部のコンピュータへ送信する機能もある。運転状態の記録のことをロギング機能という。ロギング機能には、警報の履歴、運転の履歴、運転日報、運転月報、運転年報、トレンドデータを記録する機能が含まれる。
【００２１】
警報の履歴データには、警報の発生と復旧の日時、警報の内容が記録される。運転の履歴データには、運転信号（たとえば、ポンプ運転信号）がいつＯＮになったか、いつオフになったかが記録される。
【００２２】
運転日報には、アナログ信号が、１時間ごとにどんな値をとったか、運転信号がＯＮになった時間の合計、運転信号がＯＮになった回数の合計が記録される。運転月報、運転年報は運転日報のデータを月ごと、年ごとに集計した形で記録される。
【００２３】
トレンドデータには、アナログデータが時間ごとにどのような値を取って変化したかを記録する。実施例１では６分ごとに１回アナログデータが記録される。
【００２４】
ロギングするために、警報通報装置は、一定時間ごとにシーケンサへデータの問い合わせを実施し、その結果得られたデータを上記のそれぞれの履歴データに変換して、警報通報装置内のメモリ１３に蓄える。
【００２５】
ロギングデータは、外部のパソコンと警報通信装置が通信して、警報通報装置からパソコンに送信され、パソコン内に記録される。警報通信装置はパソコンに比べ、メモリや記憶装置の容量が小さいため、警報通信装置内の記憶期限は短いが、パソコン内の記憶期限を長く取ることができる。警報通報装置内のロギングデータは、一定期限を越えたものは、自動的に消去され、新しい日付の運転データが記録されて行く。
【００２６】
ここで、実施例１の警報通報装置は、モデム基板１４を内蔵しているため、監視対象設備からの電源供給を受ける電源ケーブル（図示せず）、シーケンサ３との通信ケーブル２、通信回線６への通信ケーブルを用意するだけで良く、設置、配線工数を最小限にできる。
【００２７】
実施例１における通信装置１のバッテリ１５について、図２を用いて説明する。停電時に通信装置１を動作させるために、充電式の電池１５を内蔵しており、停電時にはバッテリ１５の電力により停電通報する。通信装置１内には、電源基板１９を介して供給される電源（ＡＣ１００Ｖ又はＡＣ２００Ｖ）が低下したことを検出する停電検出回路１６を設けており、監視対象設備における停電を検出して停電通報することができる。停電していない間、バッテリ１５は充電回路１７により充電され、停電時に警報を通報するだけの電力を蓄えておく。充電状態は、状態表示ＬＥＤ１８により表示される。
【００２８】
実施例１において、シーケンサと警報通報装置を別々のユニットとしているため、停電時には警報通信装置だけをバッテリで動作させて停電を通報することができ、シーケンサを動作させる電源をバックアップする必要がない。このため、シーケンサと警報通信装置を一体形にして構成した場合にくらべ、バッテリは必要最小限の大きさにすることができる。
【００２９】
また、実施例１において、シーケンサと警報通報装置とは別々のユニットであるため、この警報通報装置は、入出力信号数の大きい大型のシーケンサや少ない小形のシーケンサ、型式の異なるシーケンサと接続して警報通報を行うことができる。また、警報通報装置なしで、過去に納入された上下水道設備においても、通信装置のユニットだけを付加することにより、警報通報装置を構成することができる。モデムやバッテリが通信装置に内蔵されユニットになっているため、通信装置の１ユニットだけを既設の設備に付加すれば良く、警報通報装置を構成しやすい。
【００３０】
本実施例では、監視対象設備からの故障信号、運転信号を入力するためにシーケンサ３を使用し、そして、通信装置１をシーケンサ３と独立した別のユニットとして、シーケンサ３と通信装置１を通信ケーブル２で接続する構成にし、また、通信装置１は、シーケンサ３のデータを読み出し、シーケンサ３に故障信号が入力されたら、通信装置１内部の通信部分（モデム）を使用して外部に警報を通報するようにしており、従来のようにシーケンサを増設したりすることなく、既設設備に使用されているシーケンサの信号をモニタして利用し、警報を通報することが可能となる。また、新規にシーケンサと通報端末のセットを取りつける場合でも、監視する信号の数が多い場合には、大型のシーケンサを取りつけ、信号の数が少ない場合には、小形のシーケンサを使用することにより、設備の規模にあった警報通報装置を構成することができる。
【００３１】
実施例２を説明する。本実施例の警報通報システムは、図３に示すように、複数台の通信装置１ａ、１ｂと通信ケーブル２ａ、２ｂとからなる。監視対象設備の警報信号等の出力信号を送出するシーケンサ３と通信ケーブル２ａで接続する通信装置１ａは、シーケンサ３との通信機能を制御するＣＰＵ部１ａ及び通信回線６と接続して通信データを送受信する通信部１４ａを内蔵しており、シーケンサ３が送出する出力信号から故障信号を検出し、警報を通報する機能を有する。通信装置１ｂも、通信装置１ａと同様にＣＰＵ部及び通信部とを内蔵する。通信ケーブル２ａ、２ｂは、通信装置１ａとシーケンサ３又は通信装置１ａ、１ｂ同士を接続しており、ＲＳ２３２Ｃケーブル又はイーサネットケーブル等である。なお、通信装置１を３台以上とすることも可能であり、複数台の通信装置１を接続するには、スター型、バス型等を採用することができる。
【００３２】
実施例２の警報通報システムにおける各通信装置１及び通信ケーブル２として、実施例１における通信装置及び通信ケーブルを使用することができる。実施例２における各通信装置１ａ、１ｂは、実施例１の警報通報装置と比較すると、実施例１における１つの通信装置の役割を、複数台の通信装置１が分担しており、そして、通信装置１同士は、例えばＮＦＳ（ネットワーク・ファイリング・システム）のソフトウエアを使用し、ロギングデータのディレクトリを項目毎に分けて、複数台の通信装置が一体で動くようにする。実施例２の警報通報システムは、実施例１の警報通報装置と同様な機能を有しており、１台安価な通信装置を標準機として設計・製作すれば、複数台を使用して規模の大きい警報通報システムを構築することができる。実施例２における各通信装置は、それぞれ異なるプログラムを実行する機能を有するようにすることも可能であり、例えばマルチタスクで動いているプログラムを通信装置のＣＰＵ毎に分担させれば、処理速度を向上させることができる。
【００３３】
実施例２の警報通報システムにおいて、警報を通報する機能を有する通信装置１ａは、バッテリ１５ａを内蔵するとともに、停電時に停電通報する機能を有する。他の通信装置１ｂは、停電時に停電通報する機能を有しておらず、バッテリ１５ｂを内蔵する必要はない。
【００３４】
実施例３を説明する。本実施例の警報通報システムは、図４に示すように、複数台の通信装置１ｃ、１ｄと通信ケーブル２ｃ〜２ｅとからなる。監視対象設備の警報信号等の出力信号を送出するシーケンサ３とハブ機器７及び通信ケーブル２ｃ、２ｅで接続する通信装置１ｃは、シーケンサ３との通信機能を制御するＣＰＵ部１ｃ及び通信回線６と接続して通信データを送受信する通信部１４ｃを内蔵しており、シーケンサ３が送出する出力信号から故障信号を検出し、警報を通報する機能を有する。通信装置１ｄも、通信装置１ｃと同様にＣＰＵ部及び通信部とを内蔵する。通信ケーブル２ｃ〜２ｅは、イーサケーブルであり、シーケンサ３、通信装置１ｃ、１ｄとハブ機器７とを接続している。なお、通信装置１ｃ、１ｄを３台以上とすることも可能である。
【００３５】
実施例３の警報通報システムは、実施例２と比較すると、シーケンサ３と通信装置１ｃ及び通信装置１ｃ、１ｄ同士の接続として、ハブ機器７を使用している点で相違しているが、動作等は、同様である。
【００３６】
実施例３の警報通報システムにおいて、停電が発生した場合、ハブ機器７へのＡＣ電源がオフになり、シーケンサ３、通信装置１ｃ、１ｄ間の通信は、停止するが、通信装置１ｃは内部に停電通報用のバッテリ１５ｃを備えているため、通信装置１ｃの動作で外部に停電を通報することができる。
【図面の簡単な説明】
【００３７】
【図１】実施例１の警報通報装置の説明図。
【図２】実施例１における通信装置が内蔵するバッテリの停電検出回路等の説明図。
【図３】実施例２の警報通報システムの説明図。
【図４】実施例３の警報通報システムの説明図。
【符号の説明】
【００３８】
１、１ａ、１ｂ  通信装置
１１、１１ａ、１１ｃ  ＣＰＵ部、ＣＰＵ基板
１２、１２ａ、１２ｃ  ＣＰＵ
１３、１３ａ、１３ｃ  メモリ
１４、１４ａ、１４ｃ  通信部
１５、１５ａ、１５ｃ  バッテリ
１６  停電検出回路
１７  充電回路
１８  状態表示ＬＥＤ
１９  電源基板
２、２ａ〜２ｅ  通信ケーブル
３  シーケンサ
３１  端子部
４  ポンプ
５  電動機
６  通信回線
７  ハブ機器
【図１】
2009054185.tif 000003
【図２】
2009054185.tif 000004
【図３】
2009054185.tif 000005
【図４】
2009054185.tif 000006
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
上下水道の配水又は給水を行うために設置されるポンプから運転信号又は故障信号を取り込み、前記ポンプに対する制御信号を送信するシーケンサと、
該シーケンサとの通信を行う警報通報装置とを備えた警報通報システムであって、
前記警報通報装置は前記シーケンサから送信された信号により前記ポンプの故障を検出した場合に警報を発する機能と、前記シーケンサとの通信により前記ポンプの運転状態を記録する機能と、該記録した運転状態を外部へ送信する機能とを有することを特徴とする警報通報システム。
【請求項２】
請求項１に記載の警報通報システムにおいて、
前記ポンプの運転状態には前記警報の履歴、運転の履歴、運転日報又は運転月報が含まれていることを特徴とする警報通報システム。
【請求項３】
請求項１に記載の警報通報システムにおいて、
前記警報通報装置はＡＣ電源から電力が供給されて動作し、前記ＡＣ電源からの電力が低下したことにより停電が発生したことを検出する機能と、停電が発生したことを検出した場合には内蔵したバッテリの電力により動作し停電発生の警報を発する機能とを有することを特徴とする警報通報システム。
【請求項４】
上下水道の配水又は給水を行うために設置されるポンプから運転信号又は故障信号を取り込み、前記ポンプに対する制御信号を送信するシーケンサと、
該シーケンサとの通信を行う警報通報装置とを備えた警報通報システムであって、
前記警報通報装置はＡＣ電源から電力が供給されて動作し、前記シーケンサから送信された信号により前記ポンプの故障を検出した場合に警報を発する機能と、前記シーケンサとの通信により前記警報の履歴、運転の履歴、運転日報又は運転月報を記録する機能と、該記録した運転状態を外部へ送信する機能と、前記ＡＣ電源からの電力が低下したことにより停電が発生したことを検出する機能と、停電が発生したことを検出した場合には内蔵したバッテリの電力により動作し停電発生の警報を発する機能とを有することを特徴とする警報通報システム。
【請求項５】
請求項１又は４に記載の警報通報システムにおいて、
前記警報通報装置は前記ポンプの故障が復旧した場合に通報する機能を有することを特徴とする警報通報システム。
【請求項６】
上下水道の配水又は給水を行うために設置されるポンプから運転信号又は故障信号を取り込み、前記ポンプに対する制御信号を送信するシーケンサとの通信を行う通信部を備えた警報通報装置であって、
該通信部は前記シーケンサから送信された信号により前記ポンプの故障を検出した場合に警報を発する機能と、前記シーケンサとの通信により受信する前記警報の履歴、運転の履歴、運転日報、運転月報を記録し外部へ送信する機能とを有することを特徴とする警報通報装置。
【請求項７】
請求項６に記載の警報通報装置において、
前記警報通報装置はＡＣ電源から電力が供給されて動作し、前記通信部は前記ＡＣ電源からの電力が低下したことにより停電が発生したことを検出する機能と、停電が発生したことを検出した場合には内蔵したバッテリの電力により動作し停電発生の警報を発する機能とを有することを特徴とする警報通報装置。
【請求項８】
上下水道の配水又は給水を行うために設置されるポンプから運転信号又は故障信号を取り込み、前記ポンプに対する制御信号を送信するシーケンサとの通信を行う通信部を備えた警報通報装置であって、
前記警報通報装置はＡＣ電源から電力が供給されて動作し、前記シーケンサから送信された信号により前記ポンプの故障を検出した場合に警報を発する警報発生手段と、
前記シーケンサとの通信により前記通信部が受信する前記警報の履歴、運転の履歴、運転日報、運転月報を記録する運転情報記録手段と、
前記運転情報記録手段により記録された運転情報を外部へ送信する運転情報送信手段とを備えたことを特徴とする警報通報装置。
【請求項９】
請求項８に記載の警報通報装置において、
前記警報通報装置はＡＣ電源から電力が供給されて動作し、前記ＡＣ電源からの電力が低下したことにより停電が発生したことを検出する停電検出手段と、
該停電検出手段により停電が発生したことを検出した場合には内蔵したバッテリの電力により動作し、停電発生の警報を発する警報通報手段とを備えたことを特徴とする警報通報装置。
【手続補正２】
【補正対象書類名】明細書
【補正対象項目名】０００６
【補正方法】変更
【補正の内容】
【０００６】
本発明は、上下水道の配水又は給水を行うために設置されるポンプから運転信号又は故障信号を取り込み、前記ポンプに対する制御信号を送信するシーケンサと、該シーケンサとの通信を行う警報通報装置とを備えた警報通報システムであって、前記警報通報装置は前記シーケンサから送信された信号により前記ポンプの故障を検出した場合に警報を発する機能と、前記シーケンサとの通信により前記ポンプの運転状態を記録する機能と、該記録した運転状態を外部へ送信する機能とを有する警報通報システムである。
【手続補正３】
【補正対象書類名】明細書
【補正対象項目名】０００７
【補正方法】変更
【補正の内容】
【０００７】
また、本発明は、前記警報通報システムにおいて、前記ポンプの運転状態には前記警報の履歴、運転の履歴、運転日報又は運転月報が含まれている警報通報システムである。
更に、本発明は、前記警報通報システムにおいて、前記警報通報装置はＡＣ電源から電力が供給されて動作し、前記ＡＣ電源からの電力が低下したことにより停電が発生したことを検出する機能と、停電が発生したことを検出した場合には内蔵したバッテリの電力により動作し停電発生の警報を発する機能とを有する警報通報システムである。
【手続補正４】
【補正対象書類名】明細書
【補正対象項目名】０００８
【補正方法】変更
【補正の内容】
【０００８】
そして、本発明は、上下水道の配水又は給水を行うために設置されるポンプから運転信号又は故障信号を取り込み、前記ポンプに対する制御信号を送信するシーケンサと、該シーケンサとの通信を行う警報通報装置とを備えた警報通報システムであって、前記警報通報装置はＡＣ電源から電力が供給されて動作し、前記シーケンサから送信された信号により前記ポンプの故障を検出した場合に警報を発する機能と、前記シーケンサとの通信により前記警報の履歴、運転の履歴、運転日報又は運転月報を記録する機能と、該記録した運転状態を外部へ送信する機能と、前記ＡＣ電源からの電力が低下したことにより停電が発生したことを検出する機能と、停電が発生したことを検出した場合には内蔵したバッテリの電力により動作し停電発生の警報を発する機能とを有する警報通報システムである。
【手続補正５】
【補正対象書類名】明細書
【補正対象項目名】０００９
【補正方法】変更
【補正の内容】
【０００９】
更に、本発明は、前記警報通報システムにおいて、前記警報通報装置は前記ポンプの故障が復旧した場合に通報する機能を有する警報通報システムである。
【手続補正６】
【補正対象書類名】明細書
【補正対象項目名】００１０
【補正方法】変更
【補正の内容】
【００１０】
また、本発明は、上下水道の配水又は給水を行うために設置されるポンプから運転信号又は故障信号を取り込み、前記ポンプに対する制御信号を送信するシーケンサとの通信を行う通信部を備えた警報通報装置であって、該通信部は前記シーケンサから送信された信号により前記ポンプの故障を検出した場合に警報を発する機能と、前記シーケンサとの通信により受信する前記警報の履歴、運転の履歴、運転日報、運転月報を記録し外部へ送信する機能とを有する警報通報装置である。
更に、本発明は、前記警報通報装置において、前記警報通報装置はＡＣ電源から電力が供給されて動作し、前記通信部は前記ＡＣ電源からの電力が低下したことにより停電が発生したことを検出する機能と、停電が発生したことを検出した場合には内蔵したバッテリの電力により動作し停電発生の警報を発する機能とを有する警報通報装置である。
【手続補正７】
【補正対象書類名】明細書
【補正対象項目名】００１１
【補正方法】変更
【補正の内容】
【００１１】
そして、本発明は、上下水道の配水又は給水を行うために設置されるポンプから運転信号又は故障信号を取り込み、前記ポンプに対する制御信号を送信するシーケンサとの通信を行う通信部を備えた警報通報装置であって、前記警報通報装置はＡＣ電源から電力が供給されて動作し、前記シーケンサから送信された信号により前記ポンプの故障を検出した場合に警報を発する警報発生手段と、前記シーケンサとの通信により前記通信部が受信する前記警報の履歴、運転の履歴、運転日報、運転月報を記録する運転情報記録手段と、前記運転情報記録手段により記録された運転情報を外部へ送信する運転情報送信手段とを備えた警報通報装置である。
更に、本発明は、前記警報通報装置において、前記警報通報装置はＡＣ電源から電力が供給されて動作し、前記ＡＣ電源からの電力が低下したことにより停電が発生したことを検出する停電検出手段と、該停電検出手段により停電が発生したことを検出した場合には内蔵したバッテリの電力により動作し、停電発生の警報を発する警報通報手段とを備えたことを特徴とする警報通報装置である。
【手続補正８】
【補正対象書類名】明細書
【補正対象項目名】００１９
【補正方法】変更
【補正の内容】
【００１９】
実施例１におけるこれらの警報通報は、通信部のモデム基板１４を使用して、通信回線６経由で送信する場合の他に、通信装置１にあるイーサネット（登録商標）用の通信部を使用して通報することができる。
【手続補正９】
【補正対象書類名】明細書
【補正対象項目名】００３１
【補正方法】変更
【補正の内容】
【００３１】
実施例２を説明する。本実施例の警報通報システムは、図３に示すように、複数台の通信装置１ａ、１ｂと通信ケーブル２ａ、２ｂとからなる。監視対象設備の警報信号等の出力信号を送出するシーケンサ３と通信ケーブル２ａで接続する通信装置１ａは、シーケンサ３との通信機能を制御するＣＰＵ部１ａ及び通信回線６と接続して通信データを送受信する通信部１４ａを内蔵しており、シーケンサ３が送出する出力信号から故障信号を検出し、警報を通報する機能を有する。通信装置１ｂも、通信装置１ａと同様にＣＰＵ部及び通信部とを内蔵する。通信ケーブル２ａ、２ｂは、通信装置１ａとシーケンサ３又は通信装置１ａ、１ｂ同士を接続しており、ＲＳ２３２Ｃケーブル又はイーサネットケーブル（「イーサネット」は登録商標）等である。なお、通信装置１を３台以上とすることも可能であり、複数台の通信装置１を接続するには、スター型、バス型等を採用することができる。